(57)【要約】【課題】  少なくともチューナと映像の外部入力部とを備えた表示装置の操作性を改善する。【解決手段】  映像信号を受信するチューナと、映像信号が外部から入力される外部入力部と、チューナが受信した映像信号又は外部入力部に得られる映像信号の内の選択された映像信号を主映像として表示処理する表示処理手段と、表示処理手段で処理された映像信号を表示させる表示手段と、操作手段と、操作手段での所定の操作に基づいて、表示処理手段で、操作案内用の映像を主映像に合成させる制御を行い、その合成表示の制御として、チューナが受信した映像を表示させている場合と、外部入力部からの映像を表示させている場合とで、主映像の表示態様を異なる表示態様とする制御を行う制御手段とを備えた。操作手段としては、例えばタッチパネルで構成して、操作案内用の映像に基づいて表示手段の表示画面を触れることで、操作ができるようにする。さらに、特定のボタンが操作された場合に、機能選択ができる表示を行う。【選択図】      図９ 
2005198045.tif 000002
【特許請求の範囲】
【請求項１】
映像信号を受信するチューナと、
映像信号が外部から入力される外部入力部と、
前記チューナが受信した映像信号又は前記外部入力部に得られる映像信号の内の選択された映像信号を主映像として表示処理する表示処理手段と、
前記表示処理手段で処理された映像信号を表示させる表示手段と、
操作手段と、
前記操作手段での所定の操作に基づいて、前記表示処理手段で、操作案内用の映像を主映像と合成して表示させる制御を行い、その合成表示の制御として、前記チューナが受信した映像を表示させている場合と、前記外部入力部からの映像を表示させている場合とで、主映像の表示態様を異なる表示態様とする制御を行う制御手段とを備えた
表示装置。
【請求項２】
請求項１記載の表示装置において、
前記異なる表示態様として、
チューナが受信した映像を表示させている場合には、操作案内用の映像が表示されていない場合の表示サイズと同じサイズで主映像を前記表示手段に表示させた上で、その一部の表示領域に重畳して、操作案内用の映像を表示させ、
外部入力部からの映像を表示させている場合には、操作案内用の映像が表示されていない場合の表示サイズよりも小さな表示サイズで主映像を前記表示手段に表示させた上で、その表示サイズが小さくなることで空いた領域に、操作案内用の映像を表示させる
表示装置。
【請求項３】
請求項２記載の表示装置において、
前記チューナが受信した映像を主映像として表示させた場合には、操作案内用の映像として、前記チューナで選択可能なチャンネルの一覧の映像を表示させ、
外部入力部からの映像を主映像として表示させた場合には、操作案内用の映像として、外部入力部に入力した映像の出力機器を操作するための映像を表示させる
表示装置。
【請求項４】
請求項１記載の表示装置において、
前記操作手段として、前記表示手段の映像表示画面への接触で操作が行えるタッチパネルを備え、
前記制御手段は、前記タッチパネルに触れる操作を検出した場合に、操作案内用の映像を主映像と合成させ、前記操作案内用の映像を表示させた状態で、その操作案内用の映像として表示される領域への接触の検出で、その接触された領域に表示された操作を実行させる
表示装置。
【請求項５】
請求項４記載の表示装置において、
前記操作手段として、前記タッチパネルとは別の所定の操作ボタンを備え、
前記制御手段は、前記所定の操作ボタンの操作を検出した場合に、前記チューナが選択可能なチャンネルの一覧の映像と、外部入力選択用の映像と、機能選択用の映像とを操作案内用の映像として主映像に合成させた表示を実行させる
表示装置。
【請求項６】
請求項１記載の表示装置において、
前記チューナ及び前記外部入力部は、表示装置とは別体の筐体に収納されて、
前記チューナで受信した映像信号又は前記外部入力部に入力した映像信号を、表示装置に有線又は無線で伝送するようにした
表示装置。
【発明の詳細な説明】
【技術分野】
【０００１】
本発明は、各種映像プログラムの視聴が可能なテレビジョン受像機に適用して好適な表示装置に関する。
【背景技術】
【０００２】
従来、テレビジョン放送などのコンテンツを視聴する際には、テレビジョン受像機にチューナを内蔵させて、そのチューナで受信したデータを、受像機で表示させるのが一般的であった。このため、テレビジョン受像機にアンテナ線を接続する必要があり、受像機の持ち運びなどが制限されてしまう。
【０００３】
この問題点を解決するために、チューナなどの受信手段を内蔵したベース装置と、映像の表示などを行うモニタ装置とを別体としたシステム構成の表示装置を本出願人は先に開発した。特許文献１には、このベース装置とモニタ装置で構成される表示装置についての記載がある。
【０００４】
このシステム構成の表示装置の場合、ベース装置とモニタ装置との間は、例えば無線ＬＡＮ（Local Area Network：構内情報通信網）の規格であるＩＥＥＥ（The Institute of Electrical and Electronics Engineers ）８０２．１１方式の規格を採用して、無線通信を行うようにしてある。従って、モニタ装置にはアンテナ線やビデオ再生装置などの映像信号源を接続する必要がなく、ベース装置と通信できる範囲内であれば、自由に持ち運びができる。また、ベース装置側でインターネットに接続する機能があれば、インターネットを経由してダウンロードした映像や音声などのコンテンツを、持ち運び自由なモニタ装置で視聴できる。さらに、電子メールの送信や受信を行い、その送信又は受信したメールを表示することもできる。
【特許文献１】特開２００２−３３７１４号公報
【発明の開示】
【発明が解決しようとする課題】
【０００５】
ところで、上述したシステム構成のように、テレビジョン放送の視聴、外部入力端子に入力した映像プログラムの視聴、インターネットを経由してダウンロードしたコンテンツの視聴、メールの表示などのように、多くの機能を備えた表示装置の場合には、それぞれの機能の操作が簡単に行えるように、操作性などに何らかの工夫が必要である。例えば、モニタ装置側でチューナのチャンネル切換えや入力切換えを行うようにするためには、モニタ装置にこれらの操作を行うための多数の操作ボタンを配置する必要がある。
【０００６】
ところが、モニタ装置に多数の操作ボタンを配置すると、それだけ操作ボタンを配置するためのスペースがモニタ装置に必要で、モニタ装置が大型化すると共に、モニタ装置のデザイン上からも、あまり多くのボタンを配置するのは好ましくなく、さらに、単純に多くのボタンを配置しただけでは、ユーザが必要とするボタンを探すのに手間がかかり、操作性が悪くなる問題がある。
【０００７】
また、モニタ装置に直接操作ボタンを配置するのではなく、モニタ装置とセットになったリモートコントロール装置を用意して、そのリモートコントロール装置に多数の操作ボタンを配置するようにしても良いが、その場合でも、単純にリモートコントロール装置に多数の操作ボタンを配置するだけでは、ユーザが必要な機能を指示するボタンを探すのに手間取り、操作性が悪くなってしまう。
【０００８】
特許文献１に記載された表示装置の場合には、表示を行うモニタ装置の表示画面をタッチパネルで構成して、操作ができるモードとした場合に、表示画面上に操作案内用の表示である操作ボタンを表示させて、そのタッチパネル上の操作したいボタンをユーザが触れることで、該当する操作ができるようにしてあり、物理的な操作ボタンを装置に多数配置する必要はない構成としてあるが、その場合でも、タッチパネルとしての表示画面上のボタン表示として、各機能に対応したボタンを多数表示させただけでは、操作性が改善されない。
【０００９】
また、タッチパネルのように構成して、表示画面を操作用の画面として使用した場合には、その操作用の画面が表示されている間は、メインの映像の視聴ができない問題がある。この問題を解決するためには、操作用の画面が表示されている間、メインの映像を表示画面中に縮小させて表示させるようにしたものもあるが、操作用の画面が表示されている間、一律でメインの映像を縮小表示させたのでは、表示が見にくい場合があり、好ましくない。
【００１０】
なお、ここではベース装置とモニタ装置とが別体の表示装置の場合を例にして問題点を説明したが、チューナと表示手段などが一体化された表示装置の場合にも、同様の問題点がある。
【００１１】
本発明はかかる点に鑑みてなされたものであり、この種の表示装置の操作性を改善することを目的とする。
【課題を解決するための手段】
【００１２】
本発明は、映像信号を受信するチューナと、映像信号が外部から入力される外部入力部と、チューナが受信した映像信号又は外部入力部に得られる映像信号の内の選択された映像信号を主映像として表示処理する表示処理手段と、表示処理手段で処理された映像信号を表示させる表示手段と、操作手段と、操作手段での所定の操作に基づいて、表示処理手段で、操作案内用の映像を主映像に合成させる制御を行い、その合成表示の制御として、チューナが受信した映像を表示させている場合と、外部入力部からの映像を表示させている場合とで、主映像の表示態様を異なる表示態様とする制御を行う制御手段とを備えたものである。
【００１３】
このようにしたことで、操作手段の所定の操作が行われて、操作案内用の表示が主映像に合成されて表示される際には、チューナが受信した映像を表示させている場合と、外部入力部からの映像を表示させている場合とで、主映像の表示態様が異なり、それぞれの場合に適した表示態様とすることが可能になる。
【発明の効果】
【００１４】
本発明によると、チューナが受信した映像を表示させている場合と、外部入力部からの映像を表示させている場合とで、操作案内用の表示が行われている状態での主映像の表示態様が異なるので、それぞれの場合に適した主映像の表示態様となり、主映像を確認しながら操作を行うことが、見やすい映像表示が行われた状態で良好な操作性で行える。
【００１５】
この場合、異なる表示態様として、チューナが受信した映像を表示させている場合には、操作案内用の映像が合成されていない場合の表示サイズと同じサイズで主映像を表示手段に表示させた上で、その一部の表示領域に重畳して、操作案内用の映像を表示させ、外部入力部からの映像を表示させている場合には、操作案内用の映像が合成されていない場合の表示サイズよりも小さな表示サイズで主映像を表示手段に表示させた上で、その表示サイズが小さくなることで空いた領域に、操作案内用の映像を表示させるようにしたことで、それぞれの場合に適した良好な表示形態と良好な操作性が得られる。即ち、チューナが受信した映像の表示時には、その受信映像である主映像が同じサイズで表示されながら、操作案内用の表示が行われるので、受信映像の表示サイズが変化せず、受信映像が見にくくなることがなく、受信映像を見ながらの各種操作が良好に行える。また、外部入力部からの映像の表示時には、その入力映像である主映像の表示サイズが小さく変化して、空いた領域に操作案内用の表示が行われるので、操作案内用の表示領域として比較的大きく確保することができ、多機能の操作を行うための操作案内用の表示が良好に行える。
【００１６】
特に、チューナが受信した映像を表示させている場合での操作案内用の表示として、チューナで選択可能なチャンネルの一覧の映像を表示させ、外部入力部からの映像を表示させている場合の操作案内用の表示として、外部入力部に入力した映像の出力機器を操作するための映像を表示させることで、それぞれの操作機能の表示が良好に行える。
【００１７】
また、操作手段として、表示手段の映像表示画面への接触で操作が行えるタッチパネルを備え、制御手段は、タッチパネルに触れる操作を検出した場合に、操作案内用の映像を主映像と合成させ、操作案内用の映像を表示させた状態で、その操作案内用の映像として表示される領域への接触の検出で、その接触された領域に表示された操作を実行させることで、ユーザはタッチパネルに触れるだけで、受信映像や入力映像を確認しながら、そのタッチパネルを使用した各種操作が可能になる。
【００１８】
さらに、タッチパネルとは別の所定の操作ボタンを備えて、その所定の操作ボタンの操作を検出した場合に、チューナが選択可能なチャンネルの一覧の映像と、外部入力選択用の映像と、機能選択用の映像とを操作案内用の映像として主映像に重畳させた表示を実行させることで、その所定の操作ボタンの操作によって、チャンネル切換えや入力切換え、その他の機能の選択などの基本的な操作が簡単に行えるようになる。
【００１９】
また、チューナ及び外部入力部は、表示装置とは別体の筐体に収納されて、表示装置に有線又は無線で映像信号を伝送するようにしたことで、チューナや映像入力部が別体となった表示装置にも適用可能である。
【発明を実施するための最良の形態】
【００２０】
以下、本発明の一実施の形態を、添付図面を参照して説明する。
図１は、本例のシステム構成例を示した図である。本例においては、テレビジョン放送の受信や、接続された映像信号源からの映像信号の入力や、インターネットを介したコンテンツのダウンロードなどを行うベース装置２００と、そのベース装置２００に対して着脱自在に構成されたモニタ装置１００とで構成される表示装置（テレビジョン受像機）としてある。この場合、モニタ装置１００とベース装置２００との間は、双方向に無線通信を行う構成としてあり、ベース装置２００からモニタ装置１００へ映像信号，音声信号を無線伝送できると共に、モニタ装置１００側からベース装置２００側に制御指令などを無線伝送することができる。なお、無線通信環境が悪い場所で使用する場合には、ＬＡＮケーブル（図示せず）などで接続して、有線伝送することも可能な構成としてある。
【００２１】
ここでの無線通信としては、例えば、２．４ＧＨｚ帯の無線通信を行って、ＩＥＥＥ８０２．１１規格の無線ＬＡＮによる通信ネットワークを構成させて通信を行うものとし、例えば最大で数十ｍから１００ｍ程度の距離までの範囲（但し屋内では到達距離は短くなる）で無線通信を行うものとする。この無線通信を行う場合には、モニタ装置１００とベース装置２００とは、相手の機器を認識する認証処理を行って、予め登録された相手とだけを通信を行うようにしてあり、例えばモニタ装置１００が別のシステムのベース装置と直接通信を行うことはないようにしてある。
【００２２】
まず、モニタ装置１００の構成例について説明する。図２は本例のモニタ装置の形状を示した図であり、図５のＡは、モニタ装置１００をスタンドによって自立させた状態を示し、図５のＢは、モニタ装置１００をベース装置２００に取付けた状態を破線で示す。
【００２３】
図２に示すように、モニタ装置１００の正面には、映像表示手段としての液晶ディスプレイ（ＬＣＤ）１０１が設けられ、その表示画面上には、タッチパネル１０３が設けられ、ＬＣＤ１０１の左右には、スピーカ１０７，１０８が設けられている。また、モニタ装置１００の液晶ディスプレイ１０１の周囲などには、複数の操作ボタン１０９が配置してある。操作ボタン１０９としては、電源ボタン、音量アップ／ダウンボタン、チャンネルアップ／ダウンボタンなどの基本的な操作を行うボタンと、インデックスボタン１０９ａなどの一部の機能用のボタンだけを配置してあり、より高度な操作を行う際には、タッチパネル１０３を使用した操作を行うようにしてある。インデックスボタン１０９ａを使用する例については後述する。また、モニタ装置１００の上部には、タッチペン収納部１０６が用意してあり、画面上を触れるためのタッチペン１０が収納される。
【００２４】
また本例のモニタ装置には、メモリカードを挿入するカードスロット１０５が用意してある。また、ＬＡＮケーブルでベース装置などと直接接続するためのＬＡＮ端子１８５が設けてある。さらに、モニタ装置の内部には、ベース装置との間の通信用のアンテナ（後述するアンテナ１８３）が内蔵させてある。
【００２５】
また本例のモニタ装置１００の背面には、モニタ装置１００を自立させるためのスタンド１０３が開閉可能に取付けてある。なお、このモニタ装置１００には、二次電池が内蔵されて、二次電池で動作用の電源の供給が行える。
【００２６】
図３及び図４は、本例のベース装置２００の構成例を示した図である。ベース装置２００は、正面部２１０と後方部２２０を接合して一体化した構造とされ、正面部２１０の左右位置には、モニタ装置１００との間の無線通信用のアンテナ２０７，２０８が配置してある。
【００２７】
正面部２１０は、後方側に若干傾いた形状とされ、その中央下部に、モニタ装置１００をベース装置２００に立て掛けるための支持体２１１を設けてある。また図４に示すように、後方部２３０の背面下部には、電源ボタン２３１、ＡＣパワーアダプタ接続用の端子２３２、アンテナ線を接続するためのＶＨＦ／ＵＨＦ端子２３９、電話回線端子２４１、ＬＡＮ端子２４２、ＡＶマウスと称される赤外線信号発光ユニット接続用の端子２４３，２４４、Ｓ映像入力端子２４５、映像音声入力端子２４６，２４７、映像音声出力端子２４８、プリンタなどの外部機器を接続するためのＵＳＢ端子２４９などを備える。
【００２８】
このように構成されるモニタ装置１００及びベース装置２００は、例えば、ユーザはベース装置２００を居間などの場所に固定的に設置し、モニタ装置１００を住居内や庭などの任意の場所に持ち運んで、任意の場所で手元のモニタ装置１００によって、テレビジョン放送などのＡＶコンテンツの視聴ができる。また、インターネットへのアクセスや、電子メールの送受信などもベース装置２００を介して実行できる。
【００２９】
この場合、モニタ装置１００を手に持って使用することもできるが、図５Ａに示すように、スタンド１０３を開いて、モニタ装置１００を適当な面の上に自立させることもできる。
【００３０】
また図５Ｂに破線で示すように、モニタ装置１００をベース装置２００の正面部２１０に立て掛けて使用することもできる。この場合には、モニタ装置１００の底面の充電端子が、ベース装置２００側の充電端子（いずれの充電端子も図示せず）に接触して、モニタ装置１００内の二次電池を、ベース装置２００からの電源で充電することができる。
【００３１】
次に、図６を参照して、本例のモニタ装置１００の機能ブロック構成について説明する。モニタ装置１００の制御部１７０は、制御手段である中央制御ユニット（ＣＰＵ）１７１と、この機器で実行するプログラムが書き込まれたＲＯＭ１７２と、ＣＰＵ１７１のワークエリア等として使用されるＲＡＭ１７３とで構成される。後述する各種表示処理などを実行するプログラムについても、ＲＯＭ１７２に書き込ませてあり、また表示のための設定に必要な設定情報についても、ＲＡＭ１７３の一部の領域を使用して記憶させるようにしてある。バスライン１７４には、画像ファイルなどのユーザデータが書き込まれるユーザメモリ１７５が接続されると共に、図２に示したスロット１０５に装着されたメモリカード１４１が接続される。
【００３２】
またバスライン１７４には、通信選択部１８１を介して無線ＬＡＮ通信部１８２と有線ＬＡＮ通信部１８４とが接続され、ベース装置２００などに送信されるべきコマンドや各種データが、無線ＬＡＮ通信部１８２又は有線ＬＡＮ通信部１８４で送信処理されて、無線送信時には、アンテナ１８３から無線送信され、有線送信時には、ＬＡＮ端子１８５に接続されたケーブルで送信される。また、無線ＬＡＮ通信部１８２で受信したデータ又は有線ＬＡＮ通信部１８４で受信したデータが、バスライン１７４に送出される。
【００３３】
またバスライン１７４には、表示処理手段として機能する表示処理部１９１が接続してあり、表示させる映像データが供給されて、その映像データに基づいた映像を、表示手段であるＬＣＤ１０１に表示させる表示処理が行われる。この場合、表示処理部１９１では、例えば、ベース装置側のチューナ２５９が受信した映像データ又は外部入力インターフェース２６６，２６７に得られる映像データが無線伝送されて供給される場合に、その映像を表示させる処理が行われるだけでなく、例えば制御部１７０側から表示案内用映像のデータが供給される場合に、その表示案内用映像をＬＣＤ１０１に表示させる処理が行われる。この表示案内用映像の表示態様の具体的な例については後述するが、表示案内用映像だけを表示させる場合と、ベース装置側から供給される映像データによる映像に表示案内用映像を重畳して表示させる場合とがある。なお、映像を表示させる際には、制御部１７０は、その表示させた映像の種類（即ちチューナで受信した映像であるのか、外部入力端子に入力した映像であるのか等）を判断するようにしてある。
【００３４】
またバスライン１７４には、デジタル／アナログ変換器１９５及び増幅器１９６を介してスピーカ１０７，１０８が接続される。
【００３５】
さらに、タッチパネル１０２が、座標検出部１９３を介してバスライン１７４に接続されると共に、操作部１０９がインターフェース１９９を介してバスライン１７４に接続される。タッチパネル１０２については、表示手段であるＬＣＤ１０１の表示画面上のどの位置に触れられたのかを座標検出部１９３で検出して、その検出データを制御部１７０に送る構成としてある。タッチパネル１０２への接触は、ここでは例えば図２に示したタッチペン１０を使用するが、直接ユーザの指などで触れることを検出する構成としても良い。操作部１０９として用意された各操作ボタンが操作されたことを示すデータについても、制御部１７０に送られる。
【００３６】
次に、図７を参照して、本例のベース装置２００の機能ブロック構成について説明する。ベース装置２００の制御部２７０は、制御手段である中央制御ユニット（ＣＰＵ）２７１と、この機器で実行するプログラムが書き込まれたＲＯＭ２７２と、ＣＰＵ２７１のワークエリア等として使用されるＲＡＭ２７３とで構成される。モニタ装置１００側で各種表示を行うために必要な処理を実行するプログラムについても、ＲＯＭ２７２に書き込ませてある。
【００３７】
アンテナ線の接続端子であるＶＨＦ／ＵＨＦ端子２３９には、アンテナ線を介してＶＨＦ／ＵＨＦアンテナ１が接続され、アンテナ１で受信した地上波テレビジョン放送出力が、ベース装置２００内のＶＨＦ／ＵＨＦチューナ２５９で選局復調され、映像データ及び音声データが取り出されて、バスライン２７４に送出される。
【００３８】
回線インターフェース２６１が接続された回線端子２４１には、電話回線２が接続され、回線インターフェース２６１はモデム２６２を介してバスライン２７２と接続される。この電話回線２を経由することで、インターネットなどに接続することが可能である。なお、電話回線ではなく、ＡＤＳＬ（Asymmetric Digital Subscriber Line）などの他のインターネット接続用の回線と接続できる端子やインターフェース，モデムを用意しても良い。
【００３９】
映像及び音声の外部入力部である映像音声入力端子２４６には、第１外部機器６として、例えばデジタルＣＳ放送チューナやデジタルＢＳチューナなどが接続され、これらの機器から供給される映像データ及び音声データが、ベース装置２００内の外部入力インターフェース２６６を介してバスライン２７４に送出される。
【００４０】
映像及び音声の外部入力部である映像音声入力端子２４７には、第２外部機器７として、例えばＤＶＤプレーヤやハードディスクレコーダなどが接続され、これらの機器から供給される映像データ及び音声データが、ベース装置２００内の外部入力インターフェース２６７を介してバスライン２７４に送出される。
【００４１】
端子２４３及び２４４には、赤外線信号発光装置であるＡＶマウス３及び４が接続される。この端子２４３及び２４４は、ベース装置２００内のインターフェース２６３及び２６４を介してバスライン２７４に接続され、制御部２７０からのコマンド信号によって、ＡＶマウス３及び４の発光部から送信された赤外線信号としてのリモートコントロール信号が、第１外部機器６及び第２外部機器７に設けられた受光部で受信されることによって、第１外部機器６及び第２外部機器７がベース装置２００側で遠隔制御できる。なお、映像音声入力端子２４６，２４７に接続される第１外部機器６及び第２外部機器７については、ユーザ設定などで機器の種類や製造メーカなどが設定できるようにしてあり、その設定情報を、制御部２７０内のメモリに記憶させるようにしてある。この記憶された情報に基づいて、対応したコードのリモートコントロール信号を送信させることができる。また、モニタ装置１００側で、機器の操作パネルを表示させる際にも、この情報を使用して登録された機器に対応した操作パネルを表示させるようにしてある。このために、モニタ装置１００側の制御部１７０内のメモリにも、第１外部機器６及び第２外部機器７についての情報を記憶する。
【００４２】
ＵＳＢ（Universal Serial Bus）端子２４９には、例えばプリンタ９が接続され、バスライン２７４に送出された印刷用のコマンド及びデータが、ＵＳＢインターフェース２６９を介してプリンタ９に供給される。
【００４３】
またバスライン２７４には、通信選択部２８１を介して無線ＬＡＮ通信部２８２と有線ＬＡＮ通信部２８３とが接続され、モニタ装置１００などに送信されるべきコマンドや各種データが、無線ＬＡＮ通信部２８２又は有線ＬＡＮ通信部２８３で送信処理されて、無線送信時には、アンテナ２０７，２０８から無線送信され、有線送信時には、ＬＡＮ端子２４２に接続されたケーブルで送信される。また、無線ＬＡＮ通信部２８２で受信したデータ又は有線ＬＡＮ通信部２８３で受信したデータが、バスライン２７４に送出される。
【００４４】
次に、このように構成されるモニタ装置１００とベース装置２００を使用して、視聴する際の処理例について、図８に示したフローチャートと、図９〜図１１に示したモニタ装置１００のＬＣＤ１０１での表示例を参照して説明する。図８のフローチャートは、本例のモニタ装置１００で映像（及び映像に付随する音声）を視聴中にユーザ操作があった場合の処理例を示した図である。この図８のフローチャートに示す判断処理は、基本的にモニタ装置１００側の制御部１７０で判断して、制御部１７０が表示処理部１９１に指令を送って、それぞれの表示処理を実行させるようにしてある。また以下の説明では、モニタ装置１００で表示されるチューナで受信した映像信号による映像や、外部入力端子に入力した映像信号による映像などのメインの映像を、主映像と称する。
【００４５】
以下、図８のフローチャートに従って説明すると、モニタ装置１００のＬＣＤ１０１に映像（ここでは基本的に動画）を表示中に、タッチパネル１０２にタッチペンなどでの接触が検出されたか否か判断する（ステップＳ１１）。ここで、タッチパネル１０２への接触が検出された場合には、現在表示中の主映像が、ベース装置２００のチューナ２５９で受信したテレビジョン放送の映像であるか否か判断し（ステップＳ１２）、主映像がテレビジョン放送の映像である場合には、主映像の画面サイズを変更させずに、その主映像の右端に重畳させて、チャンネル一覧などを操作案内表示として表示させる（ステップＳ１３）。そして、そのときの操作案内表示の表示態様に基づいて、タッチパネル１０２の操作機能割り当てを制御部１７０が行い、そのときに表示された操作ができるようにする（ステップＳ１９）。
【００４６】
図９は、ステップＳ１３での、ＬＣＤ１０１での表示の一例を示した図である。図９に示すように、ＬＣＤ１０１の表示画面全体を使用して、チューナ２５９で受信したテレビジョン放送の映像を表示した主映像表示１１があり、その主映像表示１１に合成するようにして、右端に操作案内表示１２がある。主映像表示１１の表示サイズは、操作案内表示１２がない場合でも同じサイズである。ここでの操作案内表示１２は、チューナ２５９で選択可能なチャンネルの一覧の映像の表示である。具体的には、チューナ２５９で受信するようにプリセットされたチャンネルのチャンネル番号と、放送局名の略号とが、表示１２ａ，１２ｂ，…，１２ｇとしてチャンネル番号順に表示されている。この操作案内表示１２は、ここでは半透明な表示としてあり、その表示位置に重なる部分の主映像が確認できるようにしてある（図面では描画上の問題から主映像と案内映像とが重なって表示されている状態が判りにくい表示となっている）。そして、表示１２ａ〜１２ｇのいずれかの表示領域がタッチペン１０などで触れられると、制御部１７０は、その領域に表示されたチャンネル番号にチャンネル切換えを行うように、ベース装置２００側に指令を送る処理を行う。
【００４７】
また図９に示すように、表示画面の上端の左には、現在受信中のチャンネル番号と放送局名の略号とを示した受信チャンネル表示１３があり、上端の右には、電池残量，時刻，ベース装置との通信状態などの現在状態表示１４がある。さらに表示画面の下端の左には、画音質調整ボタン表示１５と、二重音声ボタン表示１６があり、下端の左には、設定一覧ボタン表示１７があり、それぞれのボタン表示１５〜１７をタッチペンなどで触れることで、制御部１７０は、その接触された領域に表示されたボタンで示された操作を実行させる。具体的には、これらのボタン表示の操作が行われた場合には、それぞれの詳細設定を行う図示しない別の表示が画面中に表示されるようになる。これらの表示１３〜１７についても、半透明な表示としてあり、その表示位置に重なる部分の主映像が確認できるようにしてある。
【００４８】
図８のフローチャートの説明に戻ると、ステップＳ１２でテレビジョン放送の映像を表示中でないと判断した場合には、現在表示中の主映像が、ベース装置２００の外部入力端子として用意された映像音声入力端子２４６又は２４７に入力した映像信号による映像を表示中であるか否か判断する（ステップＳ１４）。ここで、主映像が外部入力映像であると判断した場合には、主映像を縮小表示させ（ステップＳ１５）、その縮小で空いた領域に表示させる合成表示状態で、そのとき選択されている入力端子２４６又は２４７に接続されていると登録された機器を操作するための操作案内表示を行う（ステップＳ１６）。そして、そのときの操作案内表示の表示態様に基づいて、タッチパネル１０２の操作機能割り当てを制御部１７０が行い、そのときに表示された操作ができるようにする（ステップＳ１９）。
【００４９】
図１０は、ステップＳ１６での、ＬＣＤ１０１での表示の一例を示した図である。図１０に示すように、ＬＣＤ１０１の表示画面全体のサイズから若干縮小したサイズで主映像表示２１があり、その縮小で右側に空いたスペースに、登録された機器を操作するための操作案内表示２２を行うようにしてある。図１０の例での操作案内表示２２としては、ＤＶＤ（Digital Video Disc又はDigital Versatile Disc）再生装置が接続機器として登録された場合の例であり、機器名表示２２ａと、テンキー表示２２ｂと、再生，停止，早送り，巻き戻しなどの再生操作表示２２ｃと、機種切換表示２２ｄと、電源表示２２ｅと、この操作案内表示２２を閉じる（消す）ための表示２２ｆとを行うようにしてある。そして、表示２２ａ〜２２ｅのいずれかの表示領域がタッチペン１０などで触れられると、制御部１７０は、その領域に表示された指令をベース装置２００側に送る処理を行う。ベース装置２００の制御部２７０では、その指令を受信すると、対応したＡＶマウス３又は４からその指令に対応したリモートコントロール信号を送信させる。
【００５０】
また図１０に示すように、表示画面の上端の左には、現在選択中の入力番号を示した表示２３があり、上端の右には、電池残量，時刻，ベース装置との通信状態などの現在状態表示２４がある。さらに表示画面の下端には、複数のボタン表示２５ａ〜２５ｆと、子画面ボタン表示２６と、設定一覧ボタン表示２７があり、それぞれのボタン表示２５〜２７をタッチペンなどで触れることで、制御部１７０は、その接触された領域に表示されたボタンで示された操作を実行させる。具体的には、これらのボタン表示の操作が行われた場合には、それぞれの詳細設定を行う図示しない別の表示が画面中に表示されるようになる。なお、図１０の場合には、１画面内で主映像と操作案内表示との表示領域が重なっていないので、操作案内表示は半透明な表示ではない。
【００５１】
図８のフローチャートの説明に戻ると、ステップＳ１４で外部入力映像を表示中でないと判断した場合には、現在表示中の主映像が、その他の種類の映像であるので、その映像種類に応じた別の表示処理が行われる。ここでは、この別の表示処理については省略する。
【００５２】
そして、ステップＳ１１でタッチパネルの接触を検出しない場合には、モニタ装置１００に用意されたインデックスボタン１０９ａが操作されたか否か判断する（ステップＳ１７）。このインデックスボタン１０９ａの操作を検出しない場合には、ステップＳ１１のタッチパネルの接触検出判断に戻る。そして、ステップＳ１７でインデックスボタン１０９ａの操作を検出した場合には、主映像に重畳させた合成表示状態で、チャンネル一覧と機能選択映像とを示す操作案内映像を表示させる（ステップＳ１８）。そして、そのときの操作案内表示の表示態様に基づいて、タッチパネル１０２の操作機能割り当てを制御部１７０が行い、そのときに表示された操作ができるようにする（ステップＳ１９）。
【００５３】
図１１は、ステップＳ１８での、ＬＣＤ１０１での表示の一例を示した図である。図１１に示すように、ＬＣＤ１０１の表示画面全体を使用して、主映像表示３１（ここではチューナ２５９で受信したテレビジョン放送の映像の表示）があり、その主映像表示３１に合成するようにして、右端に操作案内表示３２がある。このインデックスボタン操作時には、主映像としていずれの映像を表示させていても、主映像表示３１の表示サイズは、操作案内表示３２がない場合と同じサイズである。ここでの操作案内表示３２は、チューナ２５９で選択可能なチャンネルの一覧の映像の表示と、外部入力選択用の映像の表示と、機能選択用の映像の表示である。具体的には、チューナ２５９で受信するようにプリセットされたチャンネルのチャンネル番号と、放送局名の略号とが、表示３２ａ〜３２ｇとしてチャンネル番号順に表示され、またこの装置が備えた機能の一覧表示としての、インターネット接続機能表示３３、メール機能表示３４、アルバム表示３５が表示され、さらに外部入力選択用の表示としての、ビデオ入力１（入力端子２４６に相当）を選択するための表示３６と、ビデオ入力２（入力端子２４７に相当）を選択するための表示３７と、モニタ入力を選択するための表示３８とが用意してある。このような操作案内表示３２は、ここでは半透明な表示としてあり、その表示位置に重なる部分の主映像が確認できるようにしてある（図面では描画上の問題から主映像と案内映像とが重なって表示されている状態が判りにくい表示となっている）。そして、表示３２ａ〜３２ｇのいずれかの表示領域がタッチペン１０などで触れられると、制御部１７０は、その領域に表示されたチャンネル番号にチャンネル切換えを行うように、ベース装置２００側に指令を送る処理を行う。また、表示３３〜３５のいずれかの機能の表示領域がタッチペン１０などで触れられると、制御部１７０は、その領域に表示された機能を表示させるように、ベース装置２００側に指令を送る処理を行う。さらに、表示３６〜３８のいずれかの入力を選択する表示領域がタッチペン１０などで触れられると、制御部１７０は、その領域に表示された入力を選択して表示させるように、ベース装置２００側に指令を送る処理を行う。
【００５４】
このように本例によると、表示させている主映像の種類に応じて、操作案内表示が行われる表示態様が変化するように設定してあり、それぞれの状態に応じた適切な表示態様が設定される。
【００５５】
なお、ここまで説明した構成では、表示手段である表示パネル上にタッチパネルを配置して、操作案内表示で表示された各領域を直接タッチペンなどで触れることで操作できるようにしたが、タッチパネルを使用しないで、同様の処理を行うようにしても良い。例えば、図９〜図１１と同様の表示を行った状態で、画面中に何らかのカーソル表示を行い、そのカーソルが表示される位置が、各操作案内表示領域と重なった状態で、確定操作を行って、そのカーソルと重なった位置の操作案内表示で示された機能が実行されるようにしても良い。
【００５６】
また、図９〜図１１に示した表示例は、それぞれの場合の表示の一例を示したものであり、これらの表示に限定されるものではない。例えば、テレビジョン放送の受信映像を主映像として表示させた図９の例の場合、操作案内表示１２を半透明な表示としたが、同様のサイズと位置の表示を、半透明でない表示として、その表示１２と重なる主映像は見えなくしても良い。
【００５７】
また、上述した実施の形態では、モニタ装置とベース装置とが別体となったシステム構成の表示装置に適用したが、チューナや外部入力端子などが表示手段と一体化された表示装置にも適用可能である。
【図面の簡単な説明】
【００５８】
【図１】本発明の一実施の形態による構成例を示す説明図である。
【図２】本発明の一実施の形態によるモニタ装置の構成例を示す平面図であり、Ａは正面図、Ｂは左側面図、Ｃは右側面図、Ｄは上面図である。
【図３】本発明の一実施の形態によるベース装置の構成例を示す平面図であり、Ａは正面図、Ｂは右側面図である。
【図４】本発明の一実施の形態によるベース装置の構成例を示した背面図である。
【図５】本発明の一実施の形態による使用例を示す説明図であり、Ａはモニタ装置単体の図、Ａはモニタ装置とベース装置を組み合わせた状態の図である。
【図６】本発明の一実施の形態によるモニタ装置の構成例を示すブロック図である。
【図７】本発明の一実施の形態によるベース装置の構成例を示すブロックずである。
【図８】本発明の一実施の形態による映像表示中の操作による処理例を示すフローチャートである。
【図９】本発明の一実施の形態による表示例を示す説明図である。
【図１０】本発明の一実施の形態による表示例を示す説明図である。
【図１１】本発明の一実施の形態による表示例を示す説明図である。
【符号の説明】
【００５９】
１０…タッチペン、１１…主映像表示、１２…操作案内表示、２１…主映像表示、２２…操作案内表示、３１…主映像表示、３２…操作案内表示、１００…モニタ装置、１０１…液晶表示パネル（ＬＣＤ）、１０２…タッチパネル、１０９…操作ボタン、１０９ａ…インデックスボタン、１７０…制御部、１７１…中央制御ユニット（ＣＰＵ）、１８２…無線ＬＡＮ通信部、１８３…アンテナ、１９１…表示処理部、２００…ベース装置、２０７，２０８…アンテナ、２４６，２４７…映像音声入力端子、２５９…チューナ、２６１…回線インターフェース、２６６，２６７…外部入力インターフェース、２７０…制御部、２７１…中央制御ユニット（ＣＰＵ）、２８２…無線ＬＡＮ通信部
【図１】
2005198045.tif 000003
【図２】
2005198045.tif 000004
【図３】
2005198045.tif 000005
【図４】
2005198045.tif 000006
【図５】
2005198045.tif 000007
【図６】
2005198045.tif 000008
【図７】
2005198045.tif 000009
【図８】
2005198045.tif 000010
【図９】
2005198045.tif 000011
【図１０】
2005198045.tif 000012
【図１１】
2005198045.tif 000013